(57)【要約】【課題】  従来技術においては発信相手元に関係なく自動的に通話可能状態にしてしまう為に同乗者がいたりするとその通話内容が同乗者に聞かれてしまうといったプライバシーの問題があった。また、運転者が着信番号から発信相手元を確認して保留設定を行なう必要がある為、運転中では安全面で大きな問題があった。【解決手段】  携帯電話接続手段を介してこの携帯電話から電話番号データを読み出して所定メモリ領域に格納し、この電話番号データの中から所定の電話番号を特定して他の所定メモリ領域に格納し、携帯電話が着信を受けた場合に他の所定メモリ領域に格納されている所定の電話番号の中から着信を受けた電話番号を検索し、該当する電話番号が検索された場合に携帯電話をオフフック状態にして通話を可能にして音声メッセージを前記携帯電話へ送出するように構成した。【選択図】図７
2006295660.tif 000002
【特許請求の範囲】
【請求項１】
携帯電話が接続されたことを検出する携帯電話接続検出手段と、
前記携帯電話接続検出手段によって携帯電話が接続されたことを検出すると前記携帯電話から電話番号データを読み出して所定メモリ領域に格納する電話番号データ格納手段と、
前記所定メモリ領域に格納された電話番号データの中から所定の電話番号を特定する電話番号特定手段と、
前記電話番号特定手段によって特定された前記所定の電話番号を前記所定メモリ領域から抽出して他の所定メモリ領域に格納する特定電話番号格納手段と、
前記携帯電話が着信を受けた場合に前記特定電話番号格納手段よって格納された前記他の所定メモリ領域に格納されている前記所定の電話番号の中から着信を受けた電話番号を検索する着信番号検索手段と、
前記着信番号検索手段によって該当する電話番号が検索された場合に着信通知を禁止する着信通知禁止手段と、
前記着信番号検索手段によって該当する電話番号が検索された場合に前記携帯電話をオフフック状態にするオフフック手段と、
前記オフフック手段によって通話が可能になると音声メッセージを前記携帯電話への音声出力として設定する音声出力設定手段と
を備えたことを特徴とする車載情報処理装置。
【請求項２】
表示画面と、
前記表示装置を駆動して所望の表示データを表示させる表示制御手段と、
携帯電話を接続する携帯電話接続手段と、
前記携帯電話へ出力する音声データを切替える音声切替え手段と、
前記携帯電話が接続されたことを検出する携帯電話接続検出手段と、
前記携帯電話接続手段を介して携帯電話とデータ通信を行なう通信制御手段と、
演算機能を備えた制御手段とを備えた車載情報処理装置において、
前記車載情報処理装置は、
（１）前記携帯電話から読み出した電話番号データを所定のメモリ領域に格納する電話番号データ格納手段と、
（２）前記表示画面に前記電話番号データを表示してプライバシー保護の対象となる電話番号を問い合わせる電話番号問合せ手段と、
（３）前記電話番号問合せ手段により特定された電話番号を前記所定のメモリ領域に格納された電話番号データから抽出して他の所定のメモリ領域に格納する特定電話番号格納手段と
を備え、更に前記制御手段は
（４）前記携帯電話から受信した着信電話番号を前記他の所定のメモリ領域から検索する着信電話番号検索機能と、
（５）前記着信電話検索機能によって前記他の所定のメモリ領域において前記着信電話番号に該当する電話番号が検索されると前記通信制御手段によって前記携帯電話をオフフック状態にするオフフック機能と、
（６）前記携帯電話の音声出力を禁止する音声出力制御機能と、
（７）前記オフフック機能により発信元と通話が可能になると、前記音声切替え手段によって音声メッセージを前記携帯電話へ送出する応答音声データ設定機能と
を備えていることを特徴とする車載情報処理装置。
【請求項３】
地図データや道路データ等のナビゲーション処理に必要な情報等が記憶されている記憶手段と、現在の位置を検出して現在の位置周辺の地図を前記記憶手段から検索し、探索された地図上に前記現在の位置を重ねて表示画面上に表示する制御手段とを備えた車載情報処理装置において、
携帯電話が接続される携帯電話接続手段と、
前記携帯電話接続手段を介して前記携帯電話から電話番号データを読み出して所定メモリ領域に格納する電話番号データ格納手段と、
前記所定メモリ領域に格納された電話番号データの中から所定の電話番号を特定する電話番号特定手段と、
前記電話番号特定手段によって特定された前記所定の電話番号を他の所定メモリ領域に格納する特定電話番号格納手段と、
前記携帯電話が着信を受けた場合に前記他の所定メモリ領域に格納されている前記所定の電話番号の中から着信を受けた電話番号を検索する着信番号検索手段と、
前記着信番号検索手段によって該当する電話番号が検索された場合に前記携帯電話をオフフック状態にして通話を可能にして音声メッセージを前記携帯電話へ送出する音声出力設定手段と
を備えたことを特徴とする車載情報処理装置。
【発明の詳細な説明】
【技術分野】
【０００１】
本発明は例えば自動車に搭載されているナビゲーション装置のような車載情報処理装置に携帯電話等の通信装置を接続してハンズフリーの通話を行なうことができる新規な車載情報処理装置に関するものである。
【背景技術】
【０００２】
自動車の運転走行中に携帯電話を操作して通話を行なうことは極めて危険な行為であり、重大な事故を誘発する惧れが大きい。このため、最近ではカーナビゲーション装置を中心とした車載情報処理装置では携帯電話を接続しておいて走行中に携帯電話を操作することなく通話ができるようにした、いわゆるハンズフリー通話機能を備えた車載情報処理装置が普及してきている。
【０００３】
こうした車載情報処理装置では接続されている携帯電話に着信があった場合には、着信音を鳴らしたり画面上に着信を知らせるメッセージなどを表示したりして運転者に通知し、それに対して運転者が車載情報処理装置に設けられた所定のスイッチを押すことで運転者は携帯電話を持たずに車載情報処理装置に予め備わっているマイクロホンを通して発信相手元と通話ができるようになっている。尚、発信相手の音声は車載情報処理装置もしくは車両に搭載されたスピーカから運転者が聞き取れるようになっている。
【０００４】
このようなハンズフリー機能を有した車載情報処理装置として、例えば特開２００１−８６２２４号公報（特許文献１）にある通り、運転者の操作を軽減する為に携帯電話への着信から所定時間を経過すると自動的に通話可能状態にする自動着信応答の設定ができる技術が提案されている。
【特許文献１】特開２００１−８６２２４号公報
【発明の開示】
【発明が解決しようとする課題】
【０００５】
しかしながら、このような技術においては発信相手元に関係なく自動的に通話可能状態にしてしまう為に同乗者がいたりするとその通話内容が同乗者に聞かれてしまうといったプライバシーの問題があった。
このようなプライバシーの問題に対して、運転者の操作によって電話への応答を保留する等の保留設定をしておき電話に出ないようにすることもできるが、運転者が着信番号から発信相手元を確認して上述した保留設定を行なう必要がある為、運転中では安全面で大きな問題がある。
【０００６】
本発明の目的はこうした問題点に鑑み、運転者の携帯電話に対して予め登録した電話番号から着信があった場合に自動応答して発信相手元の通話情報を残しておくことができる新規なハンズフリー機能を備えた車載情報処理装置を提供することにある。
【課題を解決するための手段】
【０００７】
本発明は車載情報処理装置に、
携帯電話が接続されたことを検出する携帯電話接続検出手段と、
前記携帯電話接続検出手段によって携帯電話が接続されたことを検出すると前記携帯電話から電話番号データを読み出して所定メモリ領域に格納する電話番号データ格納手段と、
前記所定メモリ領域に格納された電話番号データの中から所定の電話番号を特定する電話番号特定手段と、
前記電話番号特定手段によって特定された前記所定の電話番号を前記所定メモリ領域から抽出して他の所定メモリ領域に格納する特定電話番号格納手段と、
前記携帯電話が着信を受けた場合に前記特定電話番号格納手段よって格納された前記他の所定メモリ領域に格納されている前記所定の電話番号の中から着信を受けた電話番号を検索する着信番号検索手段と、
前記着信番号検索手段によって該当する電話番号が検索された場合に着信通知を禁止する着信通知禁止手段と、
前記着信番号検索手段によって該当する電話番号が検索された場合に前記携帯電話をオフフック状態にするオフフック手段と、
前記オフフック手段によって通話が可能になると音声メッセージを前記携帯電話への音声出力として設定する音声出力設定手段と
を備えたことを特徴とするものである。
【発明の効果】
【０００８】
本発明によれば、接続された携帯電話に登録されている電話帳データのうち操作者により指定された電話番号からの着信があった場合に通話内容がスピーカから流れることはなく操作者のプライバシーを保護することができる。
【発明を実施するための最良の形態】
【０００９】
以下に本発明の一実施例を図面に基づき詳細に説明するが、以下に説明する実施例に限られることなく本発明は種々の変形、応用ができることは言うまでもない。
まず、本発明が使用される車載情報処理装置の例として自動車に搭載する形式のナビゲーション装置の例について説明する。
【実施例１】
【００１０】
図１には本発明のハンズフリー機能を備えたナビゲーション装置と第３世代の携帯電話との接続例を示しており、携帯電話２は本体に１０ピンのＵＳＢ（Universal Serial Bus）端子４ａを有し、同様にナビゲーション装置１にも同様のＵＳＢ端子４ｂを有しており、両ＵＳＢ端子４ａ、４ｂは専用のＵＳＢケーブル３にて接続されている。
次に、車載情報処理装置の例として自動車に搭載する形式のナビゲーション装置の内部構成例について図２を用いて説明する。
図２において、ナビゲーション装置１は演算処理部１０、外部記憶装置２０、センサ部３０、表示部４０、外部情報受信部５０、入出力部６０等から構成されている。
【００１１】
演算処理部１０はＣＰＵ(Central Processing Unit)１１、Flash ＲＯＭ(Read Only  Memory) からなる記憶装置１２、ＤＲＡＭ（Dynamic  Random Access Memory）１３から構成されている。もちろん演算処理部１０を構成する要素はこれら以外にもあるが、本発明の説明に関連のない構成要素の図示は省略してある。
【００１２】
ＣＰＵ１１は後述するアプリケーションプログラムを実行するほか種々の演算をするために用いられる。  例えばセンサ部３０からの信号を所定のロジックに従って演算したり、ＧＰＳ（Global Positioning System）信号受信部５1からの情報に基づいて車両の現在位置を算出し、算出した現在位置情報から表示に必要な地図情報を外部記憶装置２０から読み出して現在位置としての自車位置マークと共に表示部４０に表示する機能を有している。
また、ＣＰＵ１１はユーザにより任意に指定された２地点間の距離を後述のデータベースに格納された指定地点の座標値データから算出する処理も行なうことができる。
【００１３】
記憶装置１２はナビゲーション装置1の各種機能のアプリケーションプログラムやその演算に必要なデータなどを記憶しておくもので、ここではFlash ＲＯＭ１２を用いているがこれと同等の機能を有するＥＰＲＯＭ等であってもよい。
ＤＲＡＭ１３は処理中の作業エリアとして使用したり、地図データなどを一時記憶したりするために用いられるもので、地図情報や演算データ等を記憶したりするものである。
【００１４】
外部記憶装置２０は地図データ、道路種別、道路データを構成するノードやリンク構成情報等の経路計算用道路データ、座標値、電話番号、住所等の施設情報等のナビゲーション処理に必要な情報をデータベースとして構築している。
そして、外部記憶装置２０は前述した情報を記憶しているＤＶＤ(Digital Versatile Disk)２３が挿入されるＤＶＤドライブ２１及びハードディスク装置２２の組み合わせで構成されている。
【００１５】
センサ部３０は方位センサ３１、ジャイロ３２を備えており、方位センサ３１は地球が有している磁場を検出して自動車の向きを検出し、また、ジャイロ３２は光ファイバジャイロや振動ジャイロ等が用いられ、自動車が回転した角度を検出するものである。
これらの方位センサ３１及びジャイロ３２の検出信号はアナログーディジタル変換器（Ａ／Ｄ）３４によりディジタル信号に変換されて内部バス７０を介して演算処理部１０に送られる。    
【００１６】
また、センサ部３０は車輪速センサ３３を備えており、車輪速センサ３３は車輪の回転に伴って出力されるパルス信号をカウンタ３５により計数することにより自動車の走行距離信号を検出し、この走行距離信号は同様に内部バス７０を介して演算処理部１０に送られる。
【００１７】
ＧＰＳ信号受信部５１はＧＰＳアンテナ５４を介してＧＰＳ衛星からの信号を受信し、自動車と衛星との間の距離および距離の変化率を測定することにより、自動車の現在位置、進行方向および進行方位を測定するもので、これらの測定データはＳＣＩ（Serial Communication Interface）５３から内部バス７０を介して演算部１０に送られる。
【００１８】
表示部４０は表示ドライバ４１、グラフィックコントローラ４３、バッファ４４等よりなる表示制御手段及び液晶パネル等からなる表示画面４２から構成され、内部バス７０を介して演算処理部１０から送られてくるデータをバッファ４４に格納し、これに基づいて表示画面４２に地図、誘導ルート、自車位置などを表示させるものである。
【００１９】
また、グラフィックコントローラ４３は表示画面４２に設置されたタッチパネルに設けられた多数のタッチセンサーからの信号を受けてユーザの指等で押された位置を検出する処理も行なっている。
【００２０】
入出力部６０はユーザによる指示を受け付けるハードスイッチやジョグスイッチなどで構成されるＫｅｙ ＰＡＤ６２、ユーザの操作するリモコン６５からの光信号を受信するリモコン受光部６１、演算処理部１０が生成した操作者へのメッセージをスピーカ（ＳＰ）６６で音声信号に変換すると共にマイク６８を介して入力される音声信号を取り込んで信号変換するＣＯＤＥＣ６３等により構成されている。
これらはＰＩＯ（Port Input/Output）６４及び内部バス７０を介して演算処理部１０とデータのやり取りを実行する。
【００２１】
ＴＥＬコントローラ８０は携帯電話２のようなＵＳＢ端子をもった外部装置に送信すべきデータを通信に適した信号に変換したり、受信した信号を内部で処理するのに適した信号に変換したりする機能を有するものである。
【００２２】
更に、このＴＥＬコントローラ８０はＵＳＢ端子４ｂへの外部機器の接続状態も監視しており、外部装置が接続された場合には割込み信号としてＣＰＵ１１に割込みをかけるようになっている。
また、ＴＥＬコントローラ８０には１０ピンのＵＳＢ端子４ｂに設けられた携帯電話２への音声出力端子へ出力できるようになっており、マイク６８等から入力された音声信号を通話音声として送れるようになっている。
【００２３】
図３はＴＥＬコントローラ８０と演算処理部１０の機能を説明するためのものであり、
ＴＥＬコントローラ８０はＵＳＢ端子４ｂに携帯電話が接続されたことを検出する接続検出部８２を有しており、この信号はＣＰＵに送られ割り込み通知として使用される。  
【００２４】
また、ＴＥＬコントローラ８０は信号変換部８４及び通信制御部８６を有しており、外部装置に送信すべきデータを通信に適した信号に変換したり、受信した信号を内部で処理するのに適した信号に変換したりする機能を備えている。
更に、ＴＥＬコントローラ８０にはマイク６８等から入力された音声を入出力部６０から音声信号として携帯電話２の音声出力端子へ出力できるようになっている。
【００２５】
次に演算処理部１０においては、ＤＲＡＭ１３には携帯電話から送られてくる電話番号データが格納される電話番号データ格納領域１３ａが確保されており、Flash ＲＯＭ１２には電話番号データ格納領域１３ａに格納された電話番号データの中からプライバシー保護の対象とする電話番号データを格納する自動応答用電話番号格納領域１２ａ及び応答メッセージ格納領域１２ｂが確保されている。
【００２６】
尚、この応答メッセージ格納領域１２ｂには自動応答用電話番号格納領域１２ａに対応して相手音声を記憶する機能を持たせても良い。
これら電話番号データ格納領域１３ａ、自動応答用電話番号格納領域１２ａ及び応答メッセージ格納領域１２ｂのデータはＣＰＵ１１によって読み出され、或いは格納されて所期の機能を果たすように利用される。
【００２７】
次にナビゲーション装置１に携帯電話２を接続してから自動応答を行なう電話番号を設定するまでの処理について図４を用いて説明する。
【００２８】
先ず、操作者によりＵＳＢケーブル３を使って携帯電話２が接続されると、ナビゲーション装置1のＴＥＬコントローラ８０が携帯電話2の接続を検出し、ＣＰＵ１１に割込み信号として通知する。この割込み通知を受け取るとＣＰＵ１１は図4に示すＵＳＢ割込み処理を開始する。
【００２９】
まず、ステップ１０２(以下ステップをＳと略して表記する。)で接続された外部機器の種類を特定する。この処理は接続された外部装置に予め割り与えられている識別コードを要求し、その識別コードにより外部機器の種別を特定するものである。
【００３０】
次に外部機器の種別が特定されると、Ｓ１０４に進みその識別コードが携帯電話のものかどうか判断し、携帯電話でなかった場合（Ｓ１０４で“Ｎ”の場合）には本処理を抜けて識別コードに応じた別の処理へ移行する。
【００３１】
一方、取得した識別コードが携帯電話であった場合（Ｓ１０４で“Ｙ”の場合）にはＳ１０６に進んで接続された携帯電話に対して接続要求を出し、接続された携帯電話の電話番号などの固有情報を取得したり、ハンズフリー通話の為の設定を行なったりする初期接続処理を行なう。
【００３２】
初期接続処理が終了するとＳ１０８に進んでＣＰＵ１１はＴＥＬコントローラ８０を制御して後述の通信フローに従って携帯電話２との間で通信を行ない、電話帳データを取得する電話帳データ取得処理を実行する。尚、取得された電話帳データはＤＲＡＭ１３内の電話番号データ格納領域１３aに格納しておく。
【００３３】
そして、最後にＳ１１０でハンズフリー設定要求コマンドを送出し、携帯電話２からハンズフリー設定要求コマンドに対する応答が返ってきたらハンズフリー通話設定処理を実行して終了する。
【００３４】
次に図４で説明した電話帳データ取得処理Ｓ１０８の詳細について図５を用いて説明する。この図５は電話帳データ取得処理Ｓ１０８における携帯電話２との通信フローを示している。
【００３５】
先ず、Ｓ２００でナビゲーション装置１からデータ交換モードの設定要求を携帯電話２に要求してＳ２０２で携帯電話２からモード設定ＯＫの応答をもらうと、Ｓ２０４でナビゲーション装置１からデータ交換対象である携帯電話内の電話帳データとの接続を要求してＳ２０６で携帯電話２から接続要求ＯＫの応答をもらうことで電話帳のデータをもらう処理に移行する。
【００３６】
携帯電話２から接続要求ＯＫの応答をもらうと、Ｓ２０８でナビゲーション装置１から携帯電話２にデータ送出要求を実行し、これに応答して携帯電話２から電話帳データがナビゲーション装置１側に送られる。Ｓ２０８ではこれらを繰り返すことで電話帳データの読み出しを実行し、必要なデータの読出しが完了するまでこの作業を継続する。これらの電話帳データは前述したようにＤＲＡＭ１３の電話番号データ格納領域１３aに格納されていくことになる。
【００３７】
電話帳データの読み出しが終了するとＳ２１０でナビゲーション装置１から電話帳データとの切り離し要求を携帯電話２に対して実行し、Ｓ２１２で携帯電話２からナビゲーション装置１に切り離しＯＫの応答をもらうとＳ２１４に進んでデータ交換モードの解除要求を実行し、その後Ｓ２１６で解除ＯＫの応答を受けた後一連の処理を完了する。
【００３８】
次に図６を用いて自動応答電話番号登録処理について説明する。
いま、ナビゲーション装置の図示しないメニュー画面から“自動応答電話番号登録“という項目を選択すると、ＤＲＡＭ１３の電話番号データ格納領域１３aに格納されている前述の電話帳データリストから所定数(ここでは８名分)の電話番号情報が名前とともに読み出されて表示画面４２上に表示される。
【００３９】
図６がその表示例であり、参照番号２００は電話番号登録画面、参照番号２１０はその詳細リスト、参照番号２２０はリスト枚数(ここでは１０枚のリストで第１枚目が表示されている。)、参照番号２３０は特定の選ばれた選択電話番号を表している。
【００４０】
そして、キーパッド６２あるいはリモコン６５のジョグキーの上下キーを使ってプライバシー保護の対象となる登録したい電話番号を選択し、決定キーを押すことでFlash ＲＯＭ１２の自動応答用電話番号格納領域１２ａに登録される。ここでは“千葉太郎＊＊-１１１-１１１１”が登録されることになる。
【００４１】
また、表示されている電話番号リストに所望の電話番号がない場合にはキーパッド６２あるいはリモコン６５のジョグキーの左右キーを押すことで次の電話番号群もしくは１つ前に表示した電話番号群が表示されるようになり、こうした操作を交えてプライバシー保護の対象とするリストの登録を行なっていく。
そして、最後にその他のキー、例えば現在地キーを押すなどしてメニュー表示モードを終了して登録処理は完了する。
【００４２】
次に図７及び図８を用いて携帯電話２に着信があった場合の自動応答用電話番号登録がなされた後のナビゲーション装置１の自動応答処理について説明する。
【００４３】
操作者の携帯電話２に着信があるとこの着信による割り込みが発生して自動応答処理が起動されることになる。
この自動応答処理が起動されると、まずＳ３０２で携帯電話２からＵＳＢケーブル３を介してナビゲーション装置１に対して着信電話番号通知が実行される。これは図８のＳ４００に相当する。
【００４４】
次に、Ｓ３０４に進みＣＰＵ１１はこの着信電話番号を基にFlash ＲＯＭ１２の自動応答用電話番号格納領域１２ａに格納されている電話番号を検索して該当する電話番号があるかどうか検索する。
【００４５】
ここで、着信電話番号が登録されていない場合（Ｓ３０４で“Ｎ”の場合）には、Ｓ３０６に進んでハンズフリー通話ができるようにスピーカ出力をＯＮにして着信を操作者に通知するとともに携帯電話への音声出力をマイク入力に切替える。
【００４６】
一方、着信電話番号が登録されていた場合（Ｓ３０４で“Ｙ”の場合）には、Ｓ３０８に進んで音声出力を入出力部６０内のＣＯＤＥＣ６３にてアナログ信号に変換された応答メッセージデータに切替えるとともに入出力部６０内のＣＯＤＥＣ６３に指示してスピーカ出力をＯＦＦにして、着信を知らせる表示等も行なわないようにする。更には着信電話番号を着信時刻とともにFlash ＲＯＭ１２の所定格納領域に記憶させる。
【００４７】
その後、Ｓ３１０に進みＣＰＵ１１はＴＥＬコントローラ８０を介して携帯電話２に対してオフフックコマンドを送出する。これは図８のＳ４１０に相当する。
このオフフックコマンドが送出された後にＳ３１２でオフフックコマンドに対する応答が携帯電話２から返ってくるのを待機する。すなわち、発信相手元と接続され、図８のＳ４２０にあるように通話が可能になった旨の応答が返ってくると、Ｓ３１４進みＣＰＵ１１はＴＥＬコントローラ８０を制御して音声出力をＯＮにして携帯電話２に対して応答メッセージ格納領域１２ｂに設定された自動応答メッセージの音声データを携帯電話２へ出力させてこの処理を抜ける。
【００４８】
ここで、自動応答メッセージに対しての発信相手元からの送話を応答メッセージ格納領域１２ｂに発信相手元に対応して記録して残しておくようにしても良い。
尚、図８のＳ５００のように発信相手元から通話が切断されるとその旨の通知が携帯電話２から送られてくるので、それを受信するとＣＰＵ１１は携帯電話及びスピーカへの音声出力をＯＦＦさせる等の処理を行なう様に構成されている。
【００４９】
本実施例では、予め登録された電話番号に対して着信履歴（電話番号）を残しておくようにしたが、電話番号だけではなく自動応答メッセージに対しての発信元からの送話を一定時間記録して残しておくようにしても良く、その際にはFlash ＲＯＭではなく容量の大きいハードディスクに記録する方が望ましい。
【００５０】
また、本実施例ではプライバシー保護対象の設定方法として電話帳データから１つずつ設定する方法をあげたが、特にこの方法に限定されるものではない。
例えば、電話帳データがグループごとに分類されている場合もあるので、グループ単位で設定できるようにしても良いし、携帯電話の電話帳データを利用せず、ハンズフリー装置にて直接設定できるようにしても良い。
更にはプライバシー保護対象の電話番号を電話帳データとは別のメモリ領域に格納するようにしたが、電話帳データの格納領域においてプライバシー保護対象の電話番号にフラグを立てるなどして識別できるようにしておくことでも構わない。
【００５１】
また、本実施例では第３世代の携帯電話の接続を挙げて説明したが、携帯電話の接続が検出でき、しかも音声入力ラインを備えた携帯電話であればその他いかなるインタフェース、携帯電話を用いた場合でも本発明が適用できることは言うまでもない。
【図面の簡単な説明】
【００５２】
【図１】本発明の車載情報処理装置と携帯電話の接続例を示す図である。
【図２】本発明の車載情報処理装置の一実施例であるナビゲーション装置の内部構成を示す図である。
【図３】本発明の情報処理装置における機能ブロック図である。
【図４】本発明の情報処理装置における自動応答電話番号登録処理を示すフローチャート図である。
【図５】本発明の情報処理装置と携帯電話間の通信フローの一例を示す図である。
【図６】本発明の情報処理装置における表示の一例を示す図である。
【図７】本発明の情報処理装置における自動応答処理を示すフローチャート図である。
【図８】情報処理装置と携帯電話間の通信フローを示す図である。
【符号の説明】
【００５３】
１‥ナビゲーション装置、２‥携帯電話、３：‥ＵＳＢケーブル、４ａ、４ｂ‥ＵＳＢコネクタ（端子）、１０‥演算処理部、１１‥ＣＰＵ、１２‥Flash ＲＯＭ、１３‥ＲＡＭ、２０：‥外部記憶装置、３０‥センサ部、３１‥方位センサ、３２‥ジャイロ、３３‥車輪速センサ、３４‥Ａ−Ｄ変換器、３５‥カウンタ、４０‥表示部、５０‥ＧＰＳ信号受信部、６０‥入出力部、７０：‥バス、８０‥ＴＥＬコントローラ。
【図１】
2006295660.tif 000003
【図２】
2006295660.tif 000004
【図３】
2006295660.tif 000005
【図４】
2006295660.tif 000006
【図５】
2006295660.tif 000007
【図６】
2006295660.tif 000008
【図７】
2006295660.tif 000009
【図８】
2006295660.tif 000010